【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
第１のＵＳＢ機器が接続される第１のＵＳＢポートと、
第２のＵＳＢ機器が接続される第２のＵＳＢポートと、
前記第１のＵＳＢポートと前記第２のＵＳＢポートとの間に配置された第１の制御部と、を含み、
前記第１の制御部は、前記第２のＵＳＢ機器が待機状態にあるときにおいて、前記第１のＵＳＢ機器に対し、前記第２のＵＳＢ機器が動作状態にあると認識させ、前記第１のＵＳＢ機器から出力される所定の通信情報を受信すると前記第２のＵＳＢ機器を待機状態から動作状態に移行させるための第１のイベントを前記第２のＵＳＢ機器に対して発生させることを特徴とするＵＳＢインターフェイス回路。
【請求項２】
前記第２のＵＳＢ機器が待機状態にあるときは、前記第１の制御部が前記第１のＵＳＢ機器との間で第１の通信を行い、
前記第１の通信は、前記第１のＵＳＢ機器に対し、前記第２のＵＳＢ機器が動作状態にあると認識させる通信であることを特徴とする請求項１に記載のＵＳＢインターフェイス回路。
【請求項３】
前記第２のＵＳＢ機器が待機状態にあるときは、前記第１の制御部が前記第２のＵＳＢ機器の機能をエミュレートすることを特徴とする請求項１又は２に記載のＵＳＢインターフェイス回路。
【請求項４】
前記第１の通信の中の一部の通信が、前記第２のＵＳＢ機器が動作状態になってから前記第１の制御部と前記第２のＵＳＢ機器との間で行われることを特徴とする請求項１乃至３のいずれか一項に記載のＵＳＢインターフェイス回路。
【請求項５】
前記一部の通信には、コントロール転送が含まれることを特徴とする請求項４に記載のＵＳＢインターフェイス回路。
【請求項６】
前記第１のイベントは、第１の信号線を介して前記第２のＵＳＢ機器に伝達されることを特徴とする請求項１乃至５のいずれか一項に記載のＵＳＢインターフェイス回路。
【請求項７】
前記第１の制御部は、前記第１のＵＳＢ機器によりエニュメレーションが行われ、
前記第２のＵＳＢ機器は、前記第１のイベントの発生の後に、前記第１の制御部によりエニュメレーションが行われることを特徴とする請求項１乃至６のいずれか一項に記載のＵＳＢインターフェイス回路。
【請求項８】
更に、外部入力ポートを含み、
前記第１の制御部は、前記外部入力ポートから入力された第２のイベント信号を検出すると、前記第１のＵＳＢ機器のＵＳＢポートがサスペンド状態にあるときは、前記第１のＵＳＢ機器に対してリモートウエイクアップを行うと共に、前記第２のＵＳＢ機器に対して前記第１のイベントを発生させることを特徴とする請求項１乃至７のいずれか一項に記
載のＵＳＢインターフェイス回路。
【請求項９】
前記第２のＵＳＢ機器に対してのバスリセットは、前記第１のＵＳＢ機器と前記第１の制御部との間の通信速度が確定した後に、前記第１の制御部により行われることを特徴とする請求項１乃至８のいずれか一項に記載のＵＳＢインターフェイス回路。
【請求項１０】
前記第１のＵＳＢ機器へのアタッチは、前記第２のＵＳＢポートにおけるアタッチが検出されてから行われることを特徴とする請求項１乃至９のいずれか一項に記載のＵＳＢインターフェイス回路。
【請求項１１】
前記第２のＵＳＢ機器が動作状態のときは、前記第１のＵＳＢ機器と前記第２のＵＳＢ機器との間の通信が前記第１の制御部を介して行われることを特徴とする請求項１乃至１０のいずれか一項に記載のＵＳＢインターフェイス回路。
【請求項１２】
更に、前記第１の制御部は記憶部を備え、
前記第２のＵＳＢ機器が動作状態から待機状態に移行するときは、前記第２のＵＳＢ機器の制御情報が前記記憶部に保存され、
前記第２のＵＳＢ機器が待機状態から動作状態に移行するときは、前記制御情報が前記記憶部から読み出され、前記第２のＵＳＢ機器の所定の場所に戻されることを特徴とする請求項１乃至１１のいずれか一項に記載のＵＳＢインターフェイス回路。
【請求項１３】
前記第１の制御部は、前記制御情報の保存のための転送終了後に前記第２のＵＳＢ機器に対する電源供給を停止させ、前記所定の通信情報を受信すると前記第２のＵＳＢ機器に対する電源供給を開始させることを特徴とする請求項１２に記載のＵＳＢインターフェイス回路。
【手続補正２】
【補正対象書類名】明細書
【補正対象項目名】０００７
【補正方法】変更
【補正の内容】
【０００７】
本発明にかかるひとつのＵＳＢインターフェイス回路は、第１のＵＳＢ機器が接続される第１のＵＳＢポートと、第２のＵＳＢ機器が接続される第２のＵＳＢポートと、前記第１のＵＳＢポートと前記第２のＵＳＢポートとの間に配置された第１の制御部と、を含み、前記第１の制御部は、前記第２のＵＳＢ機器が待機状態にあるときにおいて、前記第１のＵＳＢ機器に対し、前記第２のＵＳＢ機器が動作状態にあると認識させ、前記第１のＵＳＢ機器から出力される所定の通信情報を受信すると前記第２のＵＳＢ機器を待機状態から動作状態に移行させるための第１のイベントを前記第２のＵＳＢ機器に対して発生させることを特徴とする。
上記のひとつのＵＳＢインターフェイス回路において、前記第２のＵＳＢ機器が待機状態にあるときは、前記第１の制御部が前記第１のＵＳＢ機器との間で第１の通信を行い、前記第１の通信は、前記第１のＵＳＢ機器に対し、前記第２のＵＳＢ機器が動作状態にあると認識させる通信であることが好ましい。
上記のひとつのＵＳＢインターフェイス回路において、前記第２のＵＳＢ機器が待機状態にあるときは、前記第１の制御部が前記第２のＵＳＢ機器の機能をエミュレートすることが好ましい。
上記のひとつのＵＳＢインターフェイス回路において、前記第１の通信の中の一部の通信が、前記第２のＵＳＢ機器が動作状態になってから前記第１の制御部と前記第２のＵＳＢ機器との間で行われることが好ましい。
上記のひとつのＵＳＢインターフェイス回路において、前記一部の通信には、コントロール転送が含まれることが好ましい。
上記のひとつのＵＳＢインターフェイス回路において、前記第１のイベントは、第１の信号線を介して前記第２のＵＳＢ機器に伝達されることが好ましい。
上記のひとつのＵＳＢインターフェイス回路において、前記第１の制御部は、前記第１のＵＳＢ機器によりエニュメレーションが行われ、前記第２のＵＳＢ機器は、前記第１のイベントの発生の後に、前記第１の制御部によりエニュメレーションが行われることが好ましい。
上記のひとつのＵＳＢインターフェイス回路において、更に、外部入力ポートを含み、前記第１の制御部は、前記外部入力ポートから入力された第２のイベント信号を検出すると、前記第１のＵＳＢ機器のＵＳＢポートがサスペンド状態にあるときは、前記第１のＵＳＢ機器に対してリモートウエイクアップを行うと共に、前記第２のＵＳＢ機器に対して前記第１のイベントを発生させることが好ましい。
上記のひとつのＵＳＢインターフェイス回路において、前記第２のＵＳＢ機器に対してのバスリセットは、前記第１のＵＳＢ機器と前記第１の制御部との間の通信速度が確定した後に、前記第１の制御部により行われることが好ましい。
上記のひとつのＵＳＢインターフェイス回路において、前記第１のＵＳＢ機器へのアタッチは、前記第２のＵＳＢポートにおけるアタッチが検出されてから行われることが好ましい。
上記のひとつのＵＳＢインターフェイス回路において、前記第２のＵＳＢ機器が動作状態のときは、前記第１のＵＳＢ機器と前記第２のＵＳＢ機器との間の通信が前記第１の制御部を介して行われることが好ましい。
上記のひとつのＵＳＢインターフェイス回路において、更に、前記第１の制御部は記憶部を備え、前記第２のＵＳＢ機器が動作状態から待機状態に移行するときは、前記第２のＵＳＢ機器の制御情報が前記記憶部に保存され、前記第２のＵＳＢ機器が待機状態から動作状態に移行するときは、前記制御情報が前記記憶部から読み出され、前記第２のＵＳＢ機器の所定の場所に戻されることが好ましい。
上記のひとつのＵＳＢインターフェイス回路において、前記第１の制御部は、前記制御情報の保存のための転送終了後に前記第２のＵＳＢ機器に対する電源供給を停止させ、前記所定の通信情報を受信すると前記第２のＵＳＢ機器に対する電源供給を開始させることが好ましい。
［適用例１］
本適用例にかかるＵＳＢインターフェイス回路は、第１のＵＳＢ機器が接続される第１
のＵＳＢポートと、第２のＵＳＢ機器が接続される第２のＵＳＢポートと、前記第１のＵ
ＳＢポートと前記第２のＵＳＢポートとの間に配置された第１の制御部と、を含み、前記
第２のＵＳＢ機器が待機状態にあるときにおいて、前記第１の制御部は、前記第１のＵＳ
Ｂ機器から出力される所定の通信情報を受信すると前記第２のＵＳＢ機器を前記待機状態
から動作状態に移行させるための第１のイベントを発生させることを特徴とする。